【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
光ファイバーセンサを光形状センシングコンソールに光学的に接続する方法であって、前記光形状センシングコンソールが多数の単一光チャネルを有し、前記光ファイバーセンサが、前記光ファイバーセンサの長手方向中心軸の周りに互いに対して角度を成して離間された多数の単一ファイバーコアと、前記光形状センシングコンソールに接続された光カプラーに接続するためのファイバーセンサ接続端部とを有し、前記光カプラーが、前記多数の単一ファイバーコアと光学的に接続するための前記多数の単一光チャネルを有し、前記多数の単一ファイバーコアの個々の光学的性質を示す多数の単一校正データセットが、前記多数の単一光チャネルに割り当てられていて、前記方法が、
ｉ）前記多数の単一ファイバーコアの第１のファイバーコアが前記多数の単一光チャネルのうち第１の光チャネルと光学的に連通するように、前記ファイバーセンサ接続端部を前記光カプラーに接続するステップと、
ｉｉ）前記多数の単一校正データセットの第１の校正データセットが前記第１の光チャネルに割り当てられた状態で、前記第１のファイバーコアを光インテロゲートすることによって、前記第１のファイバーコアの光応答を測定するステップと、
ｉｉｉ）前記第１のファイバーコアの測定された前記光応答及び前記光ファイバーセンサの前記多数の単一校正データセットに基づいて、前記光ファイバーセンサの前記多数の単一ファイバーコアの中で前記第１のファイバーコアを特定するステップと、
ｉｖ）前記第１のファイバーコアが、前記光応答の測定で使用された前記第１の校正データセットと合致しないと特定された場合に、
ｉｖａ）特定された前記第１のファイバーコアと合致する前記多数の単一校正データセットの第２の校正データセットを、前記第１の光チャネルに再割当てするステップ、又は、
ｉｖｂ）前記第１の校正データセットと合致する第２のファイバーコアが前記第１の光チャネルと光学的に連通するように、前記ファイバーセンサ接続端部及び／又は前記光カプラーを再位置決めするステップとを含む、方法。
【請求項２】
前記ステップｉ）は、前記多数の単一ファイバーコアがそれぞれ前記多数の単一光チャネルの１つと１対１の関係で光学的に連通するように、前記ファイバーセンサ接続端部及び／又は前記光カプラーを互いに対して位置決めするステップを含む、請求項１に記載の方法。
【請求項３】
前記ステップｉｉ）は、前記多数の単一ファイバーコアを光インテロゲートすることによって前記多数の単一ファイバーコアのそれぞれの光応答を測定するステップを含み、前記ステップｉｉｉ）は、前記光ファイバーセンサの前記多数の単一ファイバーコアの中で前記多数の単一ファイバーコアそれぞれを特定するステップを含む、請求項２に記載の方法。
【請求項４】
前記ステップｉｖａ）は、特定された前記多数の単一ファイバーコアが前記多数の単一校正データセットと合致するように、前記多数の単一校正データセットを前記多数の単一光チャネルに再割当てすることを含むか、又は前記ステップｉｖｂ）は、前記多数の単一校正データセットと合致する前記多数の単一ファイバーコアが前記多数の単一光チャネルと光学的に連通するように、前記ファイバーセンサ接続端部及び／又は前記光カプラーを再位置決めするステップを含む、請求項３に記載の方法。
【請求項５】
前記ステップｉ）は、前記第１の光チャネルを光インテロゲートし、前記第１のファイバーコアからの光応答信号の強度が最大になるまで前記ファイバーセンサ接続端部及び／又は前記光カプラーを位置決めするステップを更に含む、請求項１に記載の方法。
【請求項６】
前記多数の単一ファイバーコアのそれぞれからの光応答信号の強度が最大になるまで、前記ファイバーコアをそれぞれ光インテロゲートし、前記ファイバーセンサ接続端部及び／又は前記光カプラーを位置決めすることを更に含む、請求項１に記載の方法。
【請求項７】
前記ステップｉｉ）で測定された前記光応答が、前記第１のファイバーコアの空間分解散乱プロファイルを含む、請求項１に記載の方法。
【請求項８】
前記多数の単一ファイバーコアがファイバーブラッグ格子を散乱構造として有し、前記ステップｉｉｉ）は、空間分解散乱プロファイルから得られる空間強度プロファイルを使用することによって、前記第１のファイバーコアを特定するステップを含む、請求項７に記載の方法。
【請求項９】
前記ステップｉｉｉ）は、測定された前記光応答と前記多数の単一ファイバーコアの前記多数の単一校正データセットとの相互相関を計算するステップを含む、請求項８に記載の方法。
【請求項１０】
前記ステップｉｉｉ）は、前記光ファイバーセンサの捻じれ又は曲率を前記空間分解散乱プロファイルから計算し、計算された捻じれ又は曲率の変動に基づいて、前記第１のファイバーコアを特定するステップを含む、請求項７に記載の方法。
【請求項１１】
前記多数の単一校正データセットが、前記多数の単一ファイバーコアに対する基準測定から得られた、前記多数の単一ファイバーコアの空間分解散乱プロファイル又は該空間分解散乱プロファイルの空間強度プロファイルを含む、請求項１に記載の方法。
【請求項１２】
前記光カプラーが、前記光形状センシングコンソールに接続されたパッチコード上に配置されるか、又は前記光形状センシングコンソール上に配置される、請求項１に記載の方法。
【請求項１３】
光ファイバーセンサを光形状センシングコンソールに光学的に接続するシステムであって、前記光形状センシングコンソールが多数の単一光チャネルを有し、前記光ファイバーセンサが、前記光ファイバーセンサの長手方向中心軸の周りに互いに対して角度を成して離間された多数の単一ファイバーコアと、前記光形状センシングコンソールに接続された光カプラーに接続するためのファイバーセンサ接続端部とを有し、前記光カプラーが、前記多数の単一ファイバーコアと光学的に接続するための前記多数の単一光チャネルを有し、前記システムが、
前記多数の単一ファイバーコアの個々の光学的性質を示す、前記多数の単一光チャネルに割り当てられる多数の単一校正データセットを格納する、校正データモジュールと、
前記多数の単一校正データセットの第１の校正データセットが第１の光チャネルに割り当てられた状態で、前記第１の光チャネルに接続された前記多数の単一ファイバーコアのうちの第１のファイバーコアを光インテロゲートすることによって、前記第１のファイバーコアの光応答を測定する、測定モジュールと、
前記第１のファイバーコアの測定された前記光応答及び前記光ファイバーセンサの前記多数の単一校正データセットに基づいて、前記光ファイバーセンサの前記多数の単一ファイバーコアの中で前記第１のファイバーコアを特定する、特定モジュールとを備え、前記システムが、
ａ）特定された前記第１のファイバーコアと合致する前記多数の単一校正データセットの第２の校正データセットを、前記第１の光チャネルに再割当てする、再割当てモジュールと、
ｂ）前記第１の校正データセットと合致する第２のファイバーコアが前記第１の光チャネルと光学的に連通するように、前記ファイバーセンサ接続端部及び／又は前記光カプラーを再位置決めする、再位置決めモジュールのうち少なくとも１つを更に備える、システム。
【請求項１４】
多数の単一光チャネルを有する光形状センシングコンソールと、
光ファイバーセンサの長手方向中心軸の周りに互いに対して角度を成して離間された多数の単一ファイバーコアと、ファイバーセンサ接続端部とを有する、少なくとも１つの光ファイバーセンサと、
前記光ファイバーセンサを前記光形状センシングコンソールに接続する、前記多数の単一ファイバーコアと光接続するための前記多数の単一光チャネルを有する光カプラーと、
前記光ファイバーセンサを前記光形状センシングコンソールに光学的に接続する請求項１３に記載のシステムと
を備える、光形状センシングシステム。
【請求項１５】
コンピュータプログラムがコンピュータ上で実施されたとき、請求項１に記載の方法のステップを前記コンピュータに実施させる、プログラムコード手段を備える、コンピュータプログラム。